(57)【要約】【課題】撮影光発光時における瞬きについても、瞬きか否かの判断を撮影者に委ねることなく、自動的に判断することができる眼科撮影装置を提供すること。【解決手段】被検眼の観察及び撮影を行う観察撮影手段と、該観察撮影手段により撮影された被検眼画像のうち、画像下底部より所定領域の濃度情報を算出する濃度情報算出手段と、該濃度情報算出手段の算出結果に基づき前記被検眼の瞬き状態を判定する瞬き判定手段を含んで眼科撮影装置を構成する。 本発明によれば、撮影後の画像においても瞬き検知を行うように構成したので、撮影画像において瞬きしたか否かを撮影者が判断する必要がなく、容易に瞬き画像であることを知ることができる。【選択図】図１
2005087299.tif 000002
【特許請求の範囲】
【請求項１】
被検眼の観察及び撮影を行う観察撮影手段と、該観察撮影手段により撮影された被検眼画像のうち、画像下底部より所定領域の濃度情報を算出する濃度情報算出手段と、該濃度情報算出手段の算出結果に基づき前記被検眼の瞬き状態を判定する瞬き判定手段を有することを特徴とする眼科撮影装置。
【請求項２】
前記所定領域は、画像下底部の略中央部位の領域であることを特徴とする請求項１記載の眼科撮影装置。
【請求項３】
前記濃度情報算出手段で算出する濃度は、所定領域内の平均濃度値であることを特徴とする請求項１記載の眼科撮影装置。
【請求項４】
前記瞬き判定手段による瞬き判定は、予め設定されている瞬き閾値と前記濃度情報算出手段による算出結果を比較することにより行うことを特徴とする請求項１記載の眼科撮影装置。
【請求項５】
前記瞬き判定手段の判定結果に基づき、瞬き警告を行う瞬き警告手段を有することを特徴とする請求項１記載の眼科撮影装置。
【請求項６】
前記瞬き判定手段の判定結果に基づき前記瞬き警告手段による瞬き警告を行うとともに、前記被検眼画像を消去する画像消去手段を有することを特徴とする請求項５記載の眼科撮影装置。
【発明の詳細な説明】
【技術分野】
【０００１】
本発明は、眼底カメラ等の眼科撮影装置に関する。
【背景技術】
【０００２】
従来から眼底カメラ等の眼科撮影装置には、特許文献１及び特許文献２に記載されているような被検者が撮影時瞬きしたことを検知する瞬き検知手段が備えられている。又、特許文献１には、瞬きを検知した場合には記録装置の画像を消去する画像消去手段についても提案されており、特許文献２には、瞬きを検知した場合、画像記憶装置への画像転送を禁止する禁止手段が提案されている。
【０００３】
【特許文献１】特開平０７−３２３０１１号公報
【特許文献２】特開平０９−２５９２５９号公報
【発明の開示】
【発明が解決しようとする課題】
【０００４】
しかしながら、上記従来の瞬き検知は撮影スイッチを押下後、撮影光が発光するまでの間に作用するものであり、撮影光の発光時に発生した瞬きを検知することはてせきないため、撮影後に画像を確認の上改めて削除をしなければならなかった。
【０００５】
特に、眼底カメラ等の眼科撮影装置を集団検診等で使用する場合には、撮影者が撮影に未熟である場合が多々あり、このような場合においては瞬き画像であるか否かを判断することが困難であるので、瞬き画像であってもそのまま記録保存されていた。
【０００６】
本発明の目的は、上述の問題点を解消し、撮影光発光時における瞬きについても、瞬きか否かの判断を撮影者に委ねることなく、自動的に判断することができる眼科撮影装置を提供することにある。
【課題を解決するための手段】
【０００７】
上記目的を達成するための本発明に係る眼科撮影装置は、被検眼の観察及び撮影を行う観察撮影手段と、該観察撮影手段により撮影された被検眼画像のうち、画像下底部より所定領域の濃度情報を算出する濃度情報算出手段と、該濃度情報算出手段の算出結果に基づき前記被検眼の瞬き状態を判定する瞬き判定手段を有することを特徴とする。
【発明の効果】
【０００８】
本発明に係る眼科撮影装置においては、撮影後の画像においても瞬き検知を行うように構成したので、撮影画像において瞬きしたか否かを撮影者が判断する必要がなく、容易に瞬き画像であることを知ることができる。又、瞬き画像においては自動的に削除されるため、操作の手間が省ける効果がある。
【発明を実施するための最良の形態】
【０００９】
＜実施の形態１＞
本発明を図１〜図６に示す装置構成図及びフローチャートを用いて詳細に説明する。
【００１０】
図１は本発明を実施した場合の装置構成図を示し、１は眼底カメラ、２は眼底カメラ１により撮影された被検眼眼底を撮像するＣＣＤカメラ、３はＣＣＤカメラ２により撮像された眼底像をＡ／Ｄ変換した後、一時記憶するメモリ及びその他種々の演算機能を有する演算処理部、４は画像等を表示するモニタ、５は眼底像の濃度値を算出する濃度算出部、６は濃度算出部５の演算結果に基づいて瞬きか否かを算出する瞬き判定部、７は瞬き判定部６の判定結果に基づいて眼底カメラ１に対し、瞬き警告表示を指示する瞬き警告表示指示部、８は演算処理部３、濃度算出部５、瞬き判定部６、瞬き警告表示指示部７で行われる演算処理内容を表すプログラムを格納する記憶媒体である。
【００１１】
次に、本発明の実施手順について図２のフローチャートを用いて説明する。
【００１２】
先ず、眼底カメラ１の撮影者は、被検眼のアライメント（眼底カメラ１内の図示しない対物レンズと被検眼との距離合わせ）を行う（ステップ１）。
【００１３】
アライメントが終了すると、次に眼底カメラ１内のランプ、ＬＥＤ等の自光部材で構成される図示しない固視目標を用いて被検眼の視線を誘導し撮影部位を特定する。又、撮影時のストロボ光量調整、ピント調整等を行う（ステップ２）。
【００１４】
撮影の準備ができると、撮影者は眼底カメラ１内の図示しない撮影スイッチを押下する（ステップ３）。
【００１５】
撮影スイッチが押下されると、先ず、眼底カメラ１内の図示しない瞬き検知手段により被検眼が瞬きしているか否かの判定を行う。瞬き検知手段の構成は、特開平０７−３２３０１１号公報に実施形態が開示されている（ステップ４）。
【００１６】
ステップ４にて瞬きが検知された場合には、撮影動作は中断される。
【００１７】
瞬きではなかった場合には、撮影準備のための動作が行われる。撮影準備動作としては、図示しない観察光の消灯や撮影に不要な光路中の部材の退避等がある（ステップ５）。
【００１８】
撮影準備が完了した段階で再度、ステップ４と同様な方法により２回目の瞬き検知を行う（ステップ６）。
【００１９】
ステップ６にて瞬きが検知されなかった場合に、眼底カメラ１内の図示しないストロボが発光し、被検眼眼底像をＣＣＤカメラ２にて撮像する（ステップ７）。
【００２０】
ＣＣＤカメラ２から出力される眼底画像信号は、演算処理部３内の図示しないＡ／Ｄコンバーターにてデジタル信号に変換された後、図示しないメモリに記憶される。
【００２１】
メモリに記憶された画像データは、以下の手順に従って瞬き判定が行われる（ステップ８）。
【００２２】
ここでの具体的な瞬き判定方法については、図３のフローチャートに従って詳細に説明する。
【００２３】
先ず、図４に瞬きが発生しなかった場合の被検眼眼底画像の例を示す。この場合には一様に被検眼眼底を確認可能である。
【００２４】
一方、瞬きが起こった場合には、図５に示すような画像が得られる。瞬きにより瞼が下がり、被検眼瞳孔内に瞼が掛かると、瞼の陰は画像の下方から出現する。これは、瞼と眼底の間に水晶体が存在し、これにより瞼像と眼底像は倒立の関係にあるからである。又、瞼は眼底部に比べて反射率が非常に高いため、眼底画像上では白く飽和した影として得られる。
【００２５】
以上の状況から、瞬き画像と判断するためには、画像の下方が白飽和しているか否かを判定すれば良いと言える。白飽和していれば瞬き画像であり、白飽和していなければ瞬き画像ではない。
【００２６】
従って、演算処理部３内のメモリに格納されている被検眼眼底画像データから、濃度算出部５により、画像データの下半分の領域における平均濃度値を算出する（ステップ１００）。
【００２７】
尚、ここでは、下半分の領域の場合を例に挙げて説明したが、これに限ることなく、画像最下部から所定範囲の領域（例えば、最下部から、上下方向の長さの３０％の範囲等）について算出するようにして良い。更に、ここでは平均濃度値を算出するようにしたが、対象領域内の最大値又は中央値としても良い。
【００２８】
ステップ１００で算出された平均濃度値は、瞬き判定部６内において、予め瞬き判定部６内に記憶されている閾値と比較される（ステップ１０１）。
【００２９】
ここでの閾値は、平均濃度値の値により、瞬きとするか否かの境界を決める値であり、具体的な値は実験的に決められる。
【００３０】
閾値を大きめの値（白に近い値）に設定した場合には、瞼が大きく瞳孔を覆った場合に瞬きを検知し、逆に閾値を小さめの値（黒に近い値）に設定した場合には、瞼が少しでも瞳孔に掛かった状態でも瞬きとして検知するようになる。
【００３１】
ステップ１０１にて平均濃度値が閾値に比べて小さい場合には、「瞬き無し」と判定され、大きい場合には「瞬きあり」と判定される（ステップ１０２）。
【００３２】
ステップ１０２の判定結果により、「瞬きあり」となった場合には、演算処理部３内のメモリに記憶されている被検眼眼底画像が消去される（ステップ１０）。
【００３３】
更に、瞬き警告表示指示部７より眼底カメラ１に対して瞬き発生の警告を表示するように指示される。眼底カメラ１は、この指示を受け、図６に示すように、眼底カメラ１内の図示しないモニタ画面上に瞬き発生の警告表示を行う（ステップ１１）。
【００３４】
尚、ここではモニタ上に警告表示を行うことを例に挙げて説明したが、これに限ることなく、同時又は単独で、ブザー等の警告音を発するようにしても良い。
【００３５】
ステップ９において、「瞬き無し」と判定された場合には、演算処理部３内のメモリに記憶されている被検眼眼底画像が図示しないハードディスクや、光磁気ディスク、メモリカード、ＣＤ−Ｒ等の不揮発媒体に記録され、同時にモニタ４上にも表示される（ステップ１２）。
【００３６】
＜実施の形態２＞
実施の形態１では、画像の下方が白飽和しているか否かで瞬きを判断するように説明したが、これに限らず、図７に示すように矩形の瞬き検知領域を予め設定しておき、この領域内の白飽和度を算出することにより瞬きを判定するようにしても良い。
【００３７】
瞬き時に瞳孔内を通過する瞼の形状は、通常、図７に示しているように、中央部が周辺部よりやや突出した円弧状を成している。従って、瞬き検知用の矩形領域を中央部分に設定することにより、瞼がやや瞳孔内に掛かったような軽微の瞬きにおいても、敏感に反応することができる。
【００３８】
尚、ここでは瞬き検知領域は矩形であることを例に挙げて説明したが、これに限ることなく、図８に示すような瞼の円弧形状に合致するような曲線で囲まれた領域としても良い。又、他の任意の形状であっても同様な効果を得ることができる。
【００３９】
＜実施の形態３＞
上記実施の形態では、ステップ９において「瞬きあり」となった場合、撮影画像を消去した後、眼底カメラ１に対し、瞬きの警告を行うようにしたが、他の実施の形態として、「瞬きあり」となった場合に、眼底カメラ１に対し撮影画像を消去するかしないかの確認を指示し、その結果により撮影画像を消去するように構成しても良い。
【００４０】
尚、ここでは瞬きがない画像のみをモニタ４上に表示することを例に挙げて説明したが、これに限ることなく、瞬きありの画像についても表示するように構成しても良い。
【産業上の利用可能性】
【００４１】
本発明は、眼底カメラ等の眼科撮影装置に対して適用可能である。
【図面の簡単な説明】
【００４２】
【図１】本発明の装置構成図である。
【図２】本発明の動作手順を示すフローチャートである。
【図３】瞬き検知の手順を示すフローチャートである。
【図４】撮影画像の例を示す図である。
【図５】瞬き時の撮影画像の例を示す図である。
【図６】瞬き警告表示の例を示す図である。
【図７】瞬き検知領域の例を示す図である。
【図８】瞬き検知領域の例を示す図である。
【符号の説明】
【００４３】
１    眼底カメラ
２    ＣＣＤカメラ
３    演算処理部
４    モニタ
５    濃度算出部
７    瞬き警告表示指示部
８    記憶媒体
【図１】
2005087299.tif 000003
【図２】
2005087299.tif 000004
【図３】
2005087299.tif 000005
【図４】
2005087299.tif 000006
【図５】
2005087299.tif 000007
【図６】
2005087299.tif 000008
【図７】
2005087299.tif 000009
【図８】
2005087299.tif 000010